(57)【要約】  【課題】体の動かしやすさを阻害しにくい背もたれを提案する。  【解決手段】椅子に用いられる背もたれであって、当該椅子の着席者の背中に当接する位置に配置される背板を備える。背板における左右方向の中央の領域である第１領域の厚さは、背板における第１領域よりも左右の端部側に位置する領域である第２領域の厚さよりも大きい。【選択図】図１
2019205774.tif 000002
【特許請求の範囲】
【請求項１】
椅子に用いられる背もたれであって、
当該椅子の着席者の背中に当接する位置に配置される背板を備え、
前記背板における左右方向の中央の領域を含む第１領域の厚さは、該背板における前記第１領域よりも左右の端部側に位置する領域である第２領域の前記厚さよりも大きい、背もたれ。
【請求項２】
請求項１に記載の背もたれであって、
前記背板は、上側に向かって徐々に厚さが小さくなる部分を含む、背もたれ。
【請求項３】
請求項１又は請求項２に記載の背もたれであって、
前記背板の左右の両端部における少なくとも下側の領域には、該背板における周囲よりも剛性が高い高剛性部を備えている、背もたれ。
【請求項４】
請求項１から請求項３のいずれか１項に記載の背もたれであって、
前記第１領域には、当該背もたれを前記椅子の座体又は前記座体を支持する支持体と連結する連結部が接続されている、背もたれ。
【請求項５】
請求項１から請求項４のいずれか１に記載の背もたれであって、
少なくとも前記第２領域には、前記背板の柔軟性を向上させるための柔軟構造が形成されている一方、前記第１領域には、前記柔軟構造が形成されていない、背もたれ。
【請求項６】
請求項１から請求項５のいずれか１項に記載の背もたれであって、
前記背板の上端には、後方に突出する突出部が設けられている、背もたれ。
【請求項７】
請求項１から請求項６のいずれか１に記載の背もたれであって、
前記背板は、左右方向の中央から左右の両端に向かって徐々に厚さが小さくなる領域を含む、背もたれ。
【請求項８】
請求項１から請求項７のいずれか１に記載の背もたれであって、
前記背板の左右の両端部のうちの上下方向に関する少なくとも一部は、当該背板における同一の高さの部分のうちの最も厚さの小さい部分である、背もたれ。
【請求項９】
請求項１から請求項８のいずれか１に記載の背もたれであって、
前記背板の主たる部分は、熱可塑性エラストマー、又は、熱可塑性エラストマーを含む混合物を素材として成形されている、背もたれ。
【請求項１０】
請求項１から請求項９のいずれか１項に記載の背もたれを備える椅子。
【発明の詳細な説明】
【技術分野】
【０００１】
本開示は、背もたれを備える椅子に関する。
【背景技術】
【０００２】
スタッキングやネスティングが可能に構成された椅子において、複数の椅子を重ねたときの椅子同士の前後方向のずれを小さくするために、背もたれの前後方向の厚さを小さくする場合がある。下記特許文献１には、相対的に厚く形成された枠の内側に相対的に薄く形成された板状部材を並べて構成された背もたれが開示されている。
【先行技術文献】
【特許文献】
【０００３】
【特許文献１】特開２０１０−５１３８４号公報
【発明の概要】
【発明が解決しようとする課題】
【０００４】
上記特許文献１の背もたれのように枠が厚く構成されている背もたれは、枠部分の柔軟性が低くなり易い。そのため、着席したまま振り向いたり左右のいずれかの手を後方に伸ばしたりする場合に、背もたれの左右の角が体の動きに追従せず、動きづらくなる場合がある。
【０００５】
本開示の目的は、体の動かしやすさを阻害しにくい背もたれを提案することである。
【課題を解決するための手段】
【０００６】
本開示の一態様は、椅子に用いられる背もたれであって、当該椅子の着席者の背中に当接する位置に配置される背板を備える。背板における左右方向の中央の領域を含む第１領域の厚さは、背板における第１領域よりも左右の端部側に位置する領域である第２領域の厚さよりも大きい。
【０００７】
このような構成であれば、第２領域が相対的に変形しやすくなるため、特に着席者が後方に体を向けるときなどに背もたれが動きの妨げになりにくい。また、着席者が通常の姿勢（前を向く姿勢）で座る場合は、相対的に剛性の高い第１領域にて背中を支持できる。
【０００８】
上述した背もたれにおいて、背板は、上側に向かって徐々に厚さが小さくなる部分を含んでもよい。このような構成であれば、背板の上側ほど変形しやすくなるため、背もたれが体を動かす際の妨げになりにくい。
【０００９】
また上述した背もたれにおいて、背板の左右の両端部における少なくとも下端側の領域には、背板における周囲よりも剛性が高い高剛性部を備えていてもよい。このような構成では、背もたれの下方部分は背もたれを確りと支持することができる。また、背もたれの上方部分は柔軟性が高くなるので、背もたれが体を動かす際の妨げになりにくい。
【００１０】
また上述した背もたれにおいて、第１領域には、当該背もたれを椅子の座体又は座体を支持する支持体と連結する連結部が接続されていてもよい。このような構成では、相対的に剛性が高い第１領域を用いて座体などとの連結が実現されるため、背もたれを安定して保持できる。
【００１１】
また上述した背もたれにおいて、少なくとも第２領域には、背板の柔軟性を向上させるための柔軟構造が形成されていてもよい。また第１領域には、柔軟構造が形成されていなくてもよい。このような構成であれば、第１領域の剛性低下を抑制しつつ、第２領域の柔軟性を高めることができる。
【００１２】
また上述した背もたれにおいて、背板の上端には、後方に突出する突出部が設けられていてもよい。このような構成であれば、突出部に手を掛けて、背もたれ（即ち椅子）を持つことができる。
【００１３】
また上述した背もたれにおいて、背板は、左右方向の中央から左右の両端に向かって徐々に厚さが小さくなる領域を含んでもよい。このような構成では、背板の柔軟性が背板の左右の両端に向かって徐々に変化する。そのため、背もたれの柔軟性が急激に変化することにより着席者が受けるおそれがある違和感を抑制できる。
【００１４】
また上述した背もたれにおいて、背板の左右の両端部のうちの上下方向に関する少なくとも一部は、当該背板における同一の高さの部分のうちの最も厚さの小さい部分であってもよい。このような構成では、背板の端部の柔軟性を高くすることができる。
【００１５】
また上述した背板の主たる部分は、熱可塑性エラストマー、又は、熱可塑性エラストマーを含む混合物を素材として成形されていてもよい。このような構成では、背板の端部の柔軟性を高くすることができる。
【００１６】
本開示の別の態様は、椅子であって、上述した背もたれを備える。このような椅子は、上述した背もたれによる効果を得ることができる。
【図面の簡単な説明】
【００１７】
【図１】図１Ａは実施形態の椅子の正面側斜視図であり、図１Ｂは実施形態の椅子の背面側斜視図である。
【図２】図２Ａは実施形態の椅子の正面図であり、図２Ｂは実施形態の椅子の側面図であり、図２Ｃは実施形態の椅子の背面図であり、図２Ｄは実施形態の椅子の平面図であり、図２Ｅは実施形態の椅子の底面図である。
【図３】図３Ａは実施形態の背もたれの背面図であり、図３Ｂは実施形態の椅子の側面図であり、図３Ｃは実施形態の背もたれの平面図である。
【図４】図４Ａは図３ＢのＩＶＡ−ＩＶＡ断面図であり、図４Ｂは図３ＢのＩＶＢ−ＩＶＢ断面図である。
【図５】図２ＡのＶ−Ｖ断面図である。
【図６】図６Ａが背もたれの変形例を示す正面図であり、図６Ｂが図６ＡのＶＩＢ−ＶＩＢ断面図である。
【図７】背もたれの変形例を示す正面図である。
【図８】背もたれの変形例を示す正面図である。
【図９】図９Ａは背もたれの変形例を示す正面図であり、図９Ｂは図９ＡのＩＸＢ−ＩＸＢ断面図であり、図９Ｃは他の変形例を示す断面図である。
【図１０】背もたれの変形例を示す正面図である。
【発明を実施するための形態】
【００１８】
以下に本開示の実施形態を図面と共に説明する。
［１．実施形態］
［１−１．全体構成］
図１Ａ〜図２Ｅに示されるように、椅子１は、支持体１１、座体１３、背もたれ１５などを有する。
【００１９】
なお、本実施形態においては、前後、左右、上下などの方向を用いて各部の構成を説明する場合があるが、それらの方向は、使用者が椅子１に正常に着席したときの使用者を基準とした方向である。即ち、着席した使用者の正面方向が前方となる。椅子１は、左右に対称形である。
【００２０】
支持体１１は、管状の金属パイプを屈曲して形成された左右一対のパイプ体３１と、一対のパイプ体３１を連結する棒状の前側連接部３２及び後側連接部３３と、を有している。一対のパイプ体３１は、左右の側面から見て略矩形の環状体を構成している。座体１３は、一対のパイプ体３１の上端と、後側連接部３３と、によって支持される。
【００２１】
座体１３は、平面視で略矩形であり、使用者が着席可能に構成されている。座体１３の左右両端部と後端部がそれぞれ一対のパイプ体３１の上端と後側連接部３３とに連結しており、これにより、座体１３は支持体１１に対して固定される。
【００２２】
一対のパイプ体３１それぞれは、環状体から外れて、後側連接部３３との連結部分よりも上方に突出する連結部３５を備えている。背もたれ１５は、左右の連結部３５を介して支持体１１に対して固定される。
【００２３】
［１−２．背もたれの構成］
図３Ａ〜図３Ｃに示されるように、椅子に用いられる背もたれ１５は、正面視で略矩形である。また背もたれ１５は、平面視では、左右両端ほど前方に位置し、中央ほど後方に位置するように緩やかにカーブしている。
【００２４】
背もたれ１５は、略矩形の背板４１と、背板の左右両端に設けられる一対のパイプ保持部４２と、背板の上端に設けられる突出部４３と、背板の下端に設けられる屈曲部４４と、を備える。
【００２５】
背板４１は、当該椅子１の着席者の背中に当接する位置に配置される。
背板４１における左右方向の中央の領域を第１領域５１とし、背板４１における第１領域５１よりも左右の端部側に位置する領域を第２領域５２とする。図４Ａ及び図４Ｂに示されるように、第１領域５１の厚さＬ１は、第２領域５２の厚さＬ２よりも大きい。また図４Ａに示されるように、背板４１の左右の両端部のうちの上下方向に関する上側の領域は、当該背板４１における同一の高さの部分のうちの最も厚さの小さい最薄部５３である。
【００２６】
より厳密には、背板４１は、パイプ保持部４２が形成されている部分を除き、左右方向の中央から左右の両端に向かって徐々に厚さが小さくなっている。つまり、第１領域５１の厚さは第２領域５２の厚さよりも大きく、また、第１領域５１及び第２領域５２それぞれの内部でも厚さは異なっている。
【００２７】
背板４１の主たる部分は、熱可塑性エラストマーにより構成される。なお、熱可塑性エラストマーを含む混合物を背板４１の素材として成形されていてもよい。
また図５に示されるように、背板４１は、下側の端部が最も厚さが大きく、上側に向かって徐々に厚さが小さくなるように形成されている。図５は椅子１の左右方向の中央の断面図であるが、背板４１は左右方向のいずれの位置でも上側ほど厚さが小さくなるように形成されている。
【００２８】
一対のパイプ保持部４２は、背板４１の左右の両端部における、上下方向に関して下側の領域に設けられている。一対のパイプ保持部４２は、周囲の部分よりも肉厚であり、背板４１から後方に向けて突出している。また一対のパイプ保持部４２それぞれの内部には、連結部３５が挿入されている。よって、一対のパイプ保持部４２は、背板４１における各パイプ保持部４２の周囲の部分よりも剛性が高い。一対のパイプ保持部４２が、高剛性部に相当する。
【００２９】
突出部４３は、背板４１の上端の左右方向全域において、後方に突出する板状の部分である。また屈曲部４４は、背板４１の下端の左右方向全域において、後方に突出する板状の部材である。
【００３０】
［１−３．効果］
以上詳述した実施形態によれば、以下の効果が得られる。
【００３１】
（１ａ）椅子１では、背板４１の第２領域５２が第１領域５１と比較して相対的に変形しやすくなる。そのため、例えば図３Ｃにおいて二点鎖線で示すように、背板４１の端部が後方に容易に弾性変形しやすくなる。よって、例えば着席者が後方に体を向けるときなどに動きの妨げになりにくい。また、着席者が前を向く場合には、剛性の高い第１領域５１にて背中を十分に支持できるため、背もたれの柔軟性が高すぎることによって背もたれの機能が損なわれてしまうことがない。
【００３２】
（１ｂ）背板４１は、上側に向かって徐々に厚さが小さくなっているため、背板４１の上側ほど相対的に柔軟性が高くなる。よって、着席者が体を動かす際に背板４１がその動作を妨げてしまうことを高度に抑制できる。
【００３３】
（１ｃ）背もたれ１５は、下端の左右２箇所においてパイプ保持部４２が設けられている。この部分は剛性が高いため、着席者の動作に影響の小さい背もたれ１５の下部の剛性を高くでき、背もたれ１５が必要以上に柔らかくなってしまうことを抑制できる。
【００３４】
（１ｄ）背もたれ１５は、突出部４３及び屈曲部４４を備えるため、背もたれ１５の剛性が過度に低下してしまうことにより背もたれ１５の形態が崩れてしまうことを抑制できる。背もたれ１５はエラストマーを含む材料により構成されているため高い柔軟性を有しているが、このような場合であっても十分に形状の維持を実現できる。
【００３５】
（１ｅ）背もたれ１５は、突出部４３を備えるため、突出部４３を椅子１を持ち運ぶ際の手掛け部として用いることができる。特に、スタッキング椅子及びパイプ椅子などの比較的軽い椅子において持ち運びを行う場合に便利である。
【００３６】
（１ｆ）背板４１は、左右方向の中央から左右の両端に向かって徐々に厚さが小さくなるため、背板４１の柔軟性が急激に変化することにより着席者が感じる違和感を低減できる。また、背板４１に荷重が加えられたときに一箇所に応力が集中してしまうことを抑制できるため、背板４１の破損を抑制できる。
【００３７】
なお、本明細書でいう「徐々に厚さが小さくなる」とは、滑らかに厚さが変化する場合のみでなく、例えば３つ以上の多くの段階で厚さが変化することを含む。また、全体の中の一部の範囲において、厚さが変化しない範囲が含まれていてもよい。
【００３８】
（１ｇ）背もたれ１５の左右の両端部における一対のパイプ保持部４２の上側の領域は、同一の高さにおいて厚さがもっとも薄い最薄部５３である。このように、背板４１の左右の端部において剛性が高い部分が設けられていないことによって、背もたれ１５の両端部における柔軟性の低下を抑制することができる。
【００３９】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００４０】
（２ａ）背もたれの具体的な形状は上記実施形態に示した形状に限定されるものではない。例えば、背もたれは矩形である必要はなく、丸みを帯びた形状、左右が非対称な形状など、様々な形状を採用することができる。また、突出部４３、屈曲部４４の形状も特に限定されない。例えば、それらが設けられる位置、突出量、厚さ、幅などは任意に定めることができる。また、背もたれ１５には突出部４３及び屈曲部４４の一方又は両方が設けられていなくてもよい。
【００４１】
（２ｂ）上記実施形態では、背板４１の厚さが左右方向両端に向けて徐々に小さくなる構成を例示したが、第１領域と比較して薄い第２領域を備える背板であればその具体的な形状は限定されない。例えば、第１領域は背板における左右方向の中央の領域を含む領域であれば、その具体的な広さは特に限定されない。例えば左右方向の中央近傍の比較的狭い範囲を第１領域としてもよい。また第２領域は、第１領域よりも左右の端部側の領域であれば、その広さは特に限定されない。また図６Ａ−図６Ｂに示される背もたれ１０１のように、第１領域１０３及び第２領域１０５はそれぞれ一定の厚さであってもよい。また、第１領域と第２領域との間に、それらの厚さよりも厚さが大きい又は小さい領域が存在していてもよい。また背板の厚さが、左右両端に向けて段階的に小さくなる形状であってもよい。また、背板の左右方向の全体において徐々に背板の厚みが小さくなる構成でもよいし、背板の左右方向の一部において徐々に背板の厚みが小さくなる構成でもよい。
また第１領域及び第２領域は、背板の上下方向の全域であってもよいし、背板の上下方向の一部の領域であってもよい。例えば背板の上端部と下端部を除く範囲としてもよい。
【００４２】
（２ｃ）上記実施形態では、背板４１は、全体的に、上側に向かって徐々に厚さが小さくなる構成を例示したが、上側に向かって徐々に厚さが小さくなる部分を含んでいれば、上記の形状は上下方向の全域で形成されていなくともよい。例えば、背板の左右方向に関する一部の範囲において上記の形態を有していてもよいし、背板の上下方向に関する一部の範囲において上記の形態を有していても良い。なお、少なくとも第２領域において上記の形態を有していれば、着席者の動きの妨げを抑制できるという効果を良好に奏する。また背板は、上下方向に関して、厚さが徐々に変化する部位を有していなくてもよい。
【００４３】
（２ｄ）上記実施形態では、高剛性部として、下端から中央までに設けられる一対のパイプ保持部４２を備える構成を例示したが、これに限定されるものではない。例えば、高剛性部は周囲よりも剛性が高ければその具体的な構成は特に限定されない。具体的には、高剛性部は、周囲より厚さが大きい部分であってもよい。また高剛性部は、周囲よりも剛性が高い部材により構成されていてもよいし、周囲よりも剛性が高い部材を含んでいてもよい。
【００４４】
また高剛性部は、少なくとも背板の左右の両端部における少なくとも下側の領域に設けられていてもよい。例えば図７に示される背もたれ１１１のように、高剛性部１１３は左右両端の下端から離れた位置に設けられていてもよい。また、高剛性部は、背板の左右両端部における上側の領域にも設けられていてもよい。また、左右方向の両端部において、高剛性部は、備えられていなくともよい。
【００４５】
（２ｅ）上記実施形態では、連結部３５が背板４１の左右両端に設けられる構成を例示したが、背板における連結部が設けられる位置は、左右の両端でなくてもよい。例えば、図８に示される背もたれ１２１のように、第２領域１２５ではなく、第１領域１２３に連結部１２７が接続されていてもよい。
【００４６】
また、連結部が連結される先は、椅子の座体又は座体を支持する支持体であれば特に限定されない。また、連結部と共にさらに別の部材を介して、背もたれと座体又は支持体とが連結されていてもよい。言い換えると、連結部は、椅子の座体と、背もたれと、の位置関係を定めるための部品である。
【００４７】
（２ｆ）背板には、柔軟性を向上させるための柔軟構造が設けられていてもよい。また柔軟構造は、第２領域に設けられており、第１領域には設けられていなくてもよい。例えば、図９Ａ−図９Ｂに示される背もたれ１３１は、少なくとも第２領域１３７には、背板１３３の表側から裏側まで貫通する複数の貫通孔１３９が形成されている一方、第１領域１３５には、貫通孔が形成されていない。このように構成することで、貫通孔により第２領域１３７の柔軟性を向上できる一方、第１領域１３５の剛性低下を抑制できる。また、通常の姿勢で背中に当接しやすい部分である第１領域１３５に貫通孔が設けられないことで、貫通孔によって着席者が違和感を覚えてしまうことを抑制できる。なお貫通孔１３９は、左右方向に関して外側に位置するほど孔径が小さくなるように構成されていてもよいし、上下方向に関して上側に位置するほど孔径が小さくなるように構成されていてもよい。また、貫通孔１３９は、左右方向に関して外側に位置するほど孔径が大きくなるように構成されていてもよいし、上下方向に関して上側に位置するほど孔径が大きくなるように構成されていてもよい。
【００４８】
また図９Ｃに示されるように、貫通孔１３９に代えて、ディンプル１４１が形成されていてもよい。この場合、左右方向に関して外側に位置するほどディンプル１４１が小さくなるように構成されていてもよいし、上下方向に関して上側に位置するほどディンプル１４１が小さくなるように構成されていてもよい。また、左右方向に関して外側に位置するほどディンプル１４１が大きくなるように構成されていてもよいし、上下方向に関して上側に位置するほどディンプル１４１が大きくなるように構成されていてもよい。
また図１０に示される背もたれ１５１のように、少なくとも第２領域１５７には、背板１５３の表側から裏側まで貫通する複数のスリット１５９が形成されていてもよい。また第１領域１５５には、スリットが形成されていなくてもよい。
【００４９】
（２ｇ）上記実施形態では、背板の左右の両端部のうちの上下方向に関する中央より上の部分が、当該背板における同一の高さの部分のうちの最も厚さの小さい最薄部５３である構成を例示した。しかしながら、最薄部５３は実施形態の位置に限定されず、背板の左右の両端部のうちの上下方向に関する少なくとも一部に設けられていれば、背板の周縁部分の柔軟性を向上させることができる。また、最薄部５３は背もたれに設けられていなくてもよい。
【符号の説明】
【００５０】
１…椅子、１１…支持体、１３…座体、１５…背もたれ、３１…パイプ体、３２…前側連接部、３３…後側連接部、３５…連結部、４１…背板、４２…パイプ保持部、４３…突出部、４４…屈曲部、５１…第１領域、５２…第２領域、５３…最薄部、１０１…背もたれ、１０３…第１領域、１０５…第２領域、１１１…背もたれ、１１３…高剛性部、１２１…背もたれ、１２３…第１領域、１２５…第２領域、１２７…連結部、１３１…背もたれ、１３３…背板、１３５…第１領域、１３７…第２領域、１３９…貫通孔、１４１…ディンプル、１５１…背もたれ、１５３…背板、１５５…第１領域、１５７…第２領域、１５９…スリット
【図１】
2019205774.tif 000003
【図２】
2019205774.tif 000004
【図３】
2019205774.tif 000005
【図４】
2019205774.tif 000006
【図５】
2019205774.tif 000007
【図６】
2019205774.tif 000008
【図７】
2019205774.tif 000009
【図８】
2019205774.tif 000010
【図９】
2019205774.tif 000011
【図１０】
2019205774.tif 000012